【事件の表示】
　特許第２９２３８２４号「洗車機」の請求項１、２に係る特許に対する特許異議の申立てについて、次のとおり決定する。
【結　論】
　訂正を認める。
　特許第２９２３８２４号の請求項１ないし２に係る特許を維持する。
【理　由】
【１】手続の経緯
　本件特許第２９２３８２４号は、平成５年３月９日に出願され、平成１１年５月７日に設定登録されたものであって、その後、請求項１及び２に係る発明についてエムケー精工株式会社より特許異議の申立てがなされ、平成１２年５月１１日付けで取消理由の通知がなされ、その指定期間内の平成１２年７月２４日付けで特許異議意見書及び訂正請求書が提出されたものである。
【２】訂正の要旨
　上記訂正請求は、願書に添付した明細書を訂正請求書に添付した訂正明細書のとおり訂正することを求めるものであるが、その要旨は、次の訂正事項ａ〜ｄのとおりのものと認める。
１．訂正事項ａ
　明細書の特許請求の範囲の
「【請求項１】 車両を洗浄する洗浄手段（１，２，４，５）を設けた洗車機本体（６）を備えた洗車機において、
　洗車機本体（６）が実行する洗車条件を操作入力する洗車条件入力手段（３１〜３５Ｂ）と、
　洗車機本体（６）が待機中であるかを検出する作動検出手段（Ｄ５）と、
　洗車機本体（６）が待機中であることを前記作動検出手段（Ｄ５）が検出していないときに行われる前記洗車条件入力手段（３１〜３５Ｂ）による洗車条件の入力を記憶する記憶手段（Ｎ１）と、
　洗車機本体（６）が待機中であることを前記作動検出手段（Ｄ５）が検出した信号で、前記記憶手段（Ｎ１）に記憶されている洗車条件の洗車を実行可能にする制御手段（Ｎ２）とを備えたことを特徴とする洗車機。
【請求項２】 車両を洗浄する洗浄手段（１，２，４，５）を設けた洗車機本体（６）を備えた洗車機において、
　洗車の申し込みを操作入力する申込入力手段（３０）と、
　洗車機本体（６）が待機中であるかを検出する作動検出手段（Ｄ５）と、
　洗車機本体（６）が待機中であることを前記作動検出手段（Ｄ５）が検出していないときに行われる前記申込入力手段（３０）による洗車申し込みの入力を記憶する記憶手段（Ｎ１）と、
　洗車機本体（６）が待機中であることを前記作動検出手段（Ｄ５）が検出した信号で、前記記憶手段（Ｎ１）に記憶されている洗車申し込みの入力に基づく洗車の実行を可能にする制御手段（Ｎ２）とを備えたことを特徴とする洗車機。」を、
「【請求項１】 車両を洗浄する洗浄手段（１，２，４，５）を設けた洗車機本体（６）を備え
、この洗車機本体（６）を走行させて洗車を行うようにし
　洗車機本体（６）が実行する洗車条件を操作入力する洗車条件入力手段（３１〜３５Ｂ）と、
　洗車機本体（６）が待機中であるかを検出する作動検出手段（Ｄ５）と、
　洗車機本体（６）が待機中であることを前記作動検出手段（Ｄ５）が検出していないときに行われる前記洗車条件入力手段（３１〜３５Ｂ）による洗車条件の入力を記憶する
第１の
　洗車機本体（６）が待機中であることを前記作動検出手段（Ｄ５）が検出した信号で、前記
第１の
、
前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車条件が記憶される第２の記憶手段（Ｄ２）に洗車条件の記憶が有るか無いかを検出する記憶有無検出手段（Ｄ３）の検出信号とにより、洗車機本体（６）が待機中であるかを検出する
【請求項２】 車両を洗浄する洗浄手段（１，２，４，５）を設けた洗車機本体（６）を備え
、この洗車機本体（６）を走行させて洗車を行うようにし
　洗車の申し込みを操作入力する申込入力手段（３０）と、
　洗車機本体（６）が待機中であるかを検出する作動検出手段（Ｄ５）と、
　洗車機本体（６）が待機中であることを前記作動検出手段（Ｄ５）が検出していないときに行われる前記申込入力手段（３０）による洗車申し込みの入力を記憶する
第１の
　洗車機本体（６）が待機中であることを前記作動検出手段（Ｄ５）が検出した信号で、前記
第１の
、
　
前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車申し込み入力が記憶される第２の記憶手段（Ｄ２）に洗車申し込み入力の記憶が有るか無いかを検出する記憶有無検出手段（Ｄ３）の検出信号とにより、洗車機本体（６）が待機中であるかを検出する
と訂正する。
２．訂正事項ｂ
　明細書の段落【０００５】（本件特許公報の第３欄第２７行〜第３５行）の「備えた洗車機…………………とを備えた」を、
　「備え
、この洗車機本体を走行させて洗車を行うようにし
第１の
第１の
、前記作動検出手段は、洗車機制御手段の作動信号と、車両が車両洗浄位置に停止すると作動する踏込みスイッチの検出信号と、洗車機本体が待機位置に達したことを検出する待機位置検出手段の検出信号と、洗車機制御手段が開始する洗車の洗車条件が記憶される第２の記憶手段に洗車条件の記憶が有るか無いかを検出する記憶有無検出手段の検出信号とにより、洗車機本体が待機中であるかを検出する
と訂正する。
３．訂正事項ｃ
　明細書の段落【０００６】（本件特許公報の第３欄第３８行〜第４７行）の「備えた洗車機…………………とを備えた」を、
　「備え
、この洗車機本体を走行させて洗車を行うようにし
第１の
第１の
、　前記作動検出手段は、洗車機制御手段の作動信号と、車両が車両洗浄位置に停止すると作動する踏込みスイッチの検出信号と、洗車機本体が待機位置に達したことを検出する待機位置検出手段の検出信号と、洗車機制御手段が開始する洗車の洗車申し込み入力が記憶される第２の記憶手段に洗車申し込み入力の記憶が有るか無いかを検出する記憶有無検出手段の検出信号とにより、洗車機本体が待機中であるかを検出する
４．訂正事項ｄ
　明細書の【符号の説明】の記載（本件特許公報第８欄第３４行〜第４４行）を、
「【符号の説明】
　１　　　　　　トップブラシ（洗浄手段）
　２　　　　　　サイドブラシ（洗浄手段）
　４　　　　　　トップノズル（洗浄手段）
　５　　　　　　サイドノズル（洗浄手段）
　６　　　　　　洗車機本体
　
２０
踏み込みスイッチ
　３０　　　　　カードリーダ（申込入力手段）
　３１〜３５Ｂ　キー（洗車条件入力手段）
　
Ｄ１
洗車機制御手段
　
Ｄ２
記憶手段（第２の記憶手段）
　
Ｄ３
記憶有無検出手段
　
Ｄ４
待機位置検出手段
　Ｄ５　　　　　作動検出手段
　Ｎ１　　　　　記憶手段
（第１の記憶手段）
　Ｎ２　　　　　記憶有無検出手段（制御手段）」と訂正する。
【３】訂正の適否
１．訂正の目的、新規事項及び特許請求の範囲の拡張又は変更の存否について
　(1)訂正事項ａについて
  訂正事項ａは、
　ｉ．願書に添付した明細書の請求項１及び２に記載された「洗車機」を、「
洗車機本体（６）を走行させて洗車を行うようにし
　ii．願書に添付した明細書の請求項１及び２にそれぞれ記載された「洗車条件の入力を記憶する記憶手段（Ｎ１）」、「洗車申し込みの入力を記憶する記憶手段（Ｎ１）」を、それぞれ、「洗車条件の入力を記憶する
第１の
第１の
　iii．願書に添付した明細書の請求項１及び２にそれぞれ記載された「作動検出手段（Ｄ５）」について、それぞれ、「
前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車条件が記憶される第２の記憶手段（Ｄ２）に洗車条件の記憶が有るか無いかを検出する記憶有無検出手段（Ｄ３）の検出信号とにより、洗車機本体（６）が待機中であるかを検出する
前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車申し込み入力が記憶される第２の記憶手段（Ｄ２）に洗車申し込み入力の記憶が有るか無いかを検出する記憶有無検出手段（Ｄ３）の検出信号とにより、洗車機本体（６）が待機中であるかを検出する
ものであるから、特許請求の範囲の減縮を目的とするものである。
　「洗車機本体（６）を走行させて洗車を行う」との訂正は、願書に添付した明細書に「洗車機制御手段Ｄ１は…………再往行乾燥を行う。」（段落【００２０】）、「門型の洗車機本体６は、駆動輪７，７と遊輪８，８とにより走行レール９，９上を往復走行する。」（段落【０００９】）と記載された事項の範囲内と認められる。    
　「記憶手段（Ｎ１）」を「第１の記憶手段（Ｎ１）」とする訂正は、「第２の記憶手段（Ｄ２）」に対して「第１の」記憶手段とするものと認められる。
　上記「作動検出手段（Ｄ５）」についての限定は、願書に添付した明細書の「洗車機制御手段Ｄ１の作動信号と、踏込みスイッチ２０の検出信号と、待機位置検出手段Ｄ４の検出信号と、記憶有無検出手段Ｄ３の検出信号とにより、洗車機が待機位置６Ａにおいて待機中であることを作動検出手段Ｄ５が検出すると」（段落【００２４】）、「車両が……………、洗浄を行うための車両洗浄位置Ｖ２に停止すると、前記ストッパ１９の内側に設けられた踏込みスイッチ２０が作動する。」（段落【００１２】）、「待機位置検出手段Ｄ４は………………洗車機本体６が図１に示す待機位置６Ａに達したことを検出する。」（段落【００１９】）、「制御装置１４では前記洗車条件を記憶手段Ｄ２に記憶し、これを記憶有無検出手段Ｄ３が検出すると………」（段落【００２６】）、「洗車機制御手段Ｄ１は記憶手段Ｄ２に記憶されている洗車条件の洗車を開始する」（段落【００２８】）等の記載の範囲内のものと認められる。
　したがって、訂正事項ａは、願書に添付した明細書又は図面に記載した事項の範囲内のものと認める。
　また、訂正事項ａは、「連続して複数台の車両の洗浄を行う場合のトータルの洗車時間を短縮し、単位時間当りの処理台数を増加させ」るという願書に添付した明細書の請求項１及び２に係る発明の目的の範囲内のものであり、実質上特許請求の範囲を拡張し又は変更するものではない。
　(2)訂正事項ｂ〜ｄについて
　訂正事項ｂ〜ｄは、訂正事項ａによる特許請求の範囲の訂正に伴って、特許請求の範囲の記載と発明の詳細な説明の記載を整合させるものであり、明りょうでない記載の釈明を目的とするものと認める。そして、訂正事項ｂ〜ｄは、訂正事項ａと同様の理由により、願書に添付した明細書又は図面に記載した事項の範囲内のものであり、また、実質上特許請求の範囲を拡張し又は変更するものではない。
２．訂正についてのまとめ
　以上のとおりであるから、上記訂正請求による明細書についての訂正は、特許法第１２０条の４第２項及び、同法同条第３項の規定により準用する、特許法等の一部を改正する法律（平成６年法律第１１６号）附則第６条第１項の規定によりなお従前の例によるとされる、同法律による改正前の特許法第１２６条第１項ただし書、第２項及び第３項の規定に適合するので、当該訂正は認容されるべきものと認める。
【４】本件特許発明
　本件特許発明は、上記「【３】訂正の適否」に説示のとおり明細書についての訂正が認容されるから、訂正請求書に添付した訂正明細書及び図面の記載からみて、その特許請求の範囲の請求項１及び２に記載されたとおりのものと認める。　
【５】特許異議申立ての理由及び取消理由の概要
　特許異議申立人が主張する特許異議申立ての理由及び上記取消理由の概要は、
　本件特許の請求項１及び２に係る発明は、本件特許の出願前に頒布された刊行物である実願昭６２−２４８９０号（実開昭６３−１３１８５７号）のマイクロフィルム（以下、「刊行物１」という。）、特開昭４８−５２６７号公報（以下、「刊行物２」という。）、米国特許第３６２７０９３号明細書（１９７１年）（以下、「刊行物３」という。）に記載された発明に基づいて当業者が容易に発明をすることができたものであり、本件特許の請求項１及び２に係る発明についての特許は、特許法第２９条第２項の規定により拒絶されるべき出願に対してなされたものであるから、取り消されるべきものである、
というものである。
【６】当審の判断
１．引用刊行物に記載された事項
　特許異議申立の理由及び取消理由に引用した上記刊行物１〜３には、それぞれ以下の事項が記載されているものと認める。
　(1)刊行物１
　イ）「操作パネル７には、カードリーダ１６・キー入力部１７およびデータ表示部１８が備えられている。カードリーダ１６は、会員個々に配布された会員カード１９の挿入を受け、該カード１９により会員コード等のデータを読み取るもので、会員による洗車の受付を行なう。キー入力部１７は、複数の洗車コースＡ〜Ｅより希望のコースを選択するコース選択キー２０と、洗車に際し注意すべき特殊な形状もしくは装備を有する自動車を指定入力する車種指定キー２１と、洗車の開始入力を行なうスタートキー２２と、既に登録されている会員データの変更等を行なう変更登録キー２３と、を備えている。データ表示部１８は液晶ディスプレイから成り、ＲＡＭ１４に登録された会員データ等を表示する外に、操作パネル７における操作手順等のガイド表示を行なう。２４は該データ表示部１８の駆動回路である。」（明細書第４頁第９行〜第５頁第４行）、
　ロ）「第３図は、前記制御部１０の具体的機能を説明するブロック図である。２５は会員受付部で、カードリーダ１６において読み取った会員コード等のデータに基づき、前記ＲＡＭ１４における会員データメモリ２６より、相当する会員のデータＭＤを読み出す。尚、この会員データＭＤには会員の契約内容をはじめ、その会員が通常行なう洗車コースおよび会員自動車の車種指定等の洗車内容が含まれている。２７は前記キー入力部１７における入力内容を受け取りストアするバッファ機能を有したキー入力受付部で、入力データＫＤを与える。２８は会員受付部２５及びキー入力受付部２７より与えられる各データＭＤ・ＫＤに基づき実行すべき洗車の内容を設定する洗車内容設定部で、前記スタートキー２２より開始入力が有った時点のキー入力データＫＤで与える洗車コース及び車種指定から成る洗車内容を優先して設定し、万一洗車内容がキー入力されずデータＫＤに特に洗車内容が指定されていなければ、会員データＭＤで与える洗車内容を実行データＡＤとして与える。２９は洗車内容設定部２８で与える実行データＡＤに基づき洗車を実行する洗車制御部で、実行データＡＤを基に洗車プログラムを実行して会員の希望する内容の洗車を行なう。」（明細書第５頁第５行〜第６頁第８行）、
　ハ）「会員カード受付の後、キー入力部１７における入力待ちとなり、スタートキー２２により開始入力される（１１）までの間に、ステップ（６）においてコース選択キー２０および車種指定キー２１による洗車内容の指定入力があれば、洗車実行データとしてその指定入力されたデータがセットされ（７）、指定入力が無ければ前記ステップ（２）で読み出された会員データで与える通常の洗車内容が実行データとしてセットされる（８）。このうち、ステップ（６）で洗車内容の指定入力があった場合は、ステップ（７）に引き続き、前記変更登録キー２３による変更命令の入力があるか（９）、もしくはステップ（１）で受け付けた会員カードによる洗車が初めてであるか（１０）を確認し、いずれかに該当する場合は、フラグＦに１をセットする（１１）。尚、ステップ（１０）の確認は、会員データにおける洗車内容の登録の有無、もしくは過去の洗車回数を参照してなされる。　こうして洗車データがセットされ、ステップ（１１）において開始入力があると洗車ルーチン（１３）に入り、ステップ（７）または（８）でセットされた洗車データに基づいて、所要の洗車動作が実行される。洗車ルーチン（１３）を終了すると、前記フラグＦをチェックし（１４）、Ｆ＝１であれば洗車ルーチン（１３）で実行した洗車内容を、会員データとして前記会員データメモリ２６へ更新登録する（１５）。この後、会員データの洗車実行回数の集計や会員契約の変更（会員として契約した洗車の回数もしくは点数の減算）を必要に応じて行ない（１６）、最後にカードリーダ１６に挿入されていた会員カード１９を吐き出して返却を行ない（１７）、リタンする。」（明細書第７頁第９行〜第８頁第１８行）
　(2)刊行物２
　イ）「誘導路へ進入させた被洗浄車輛を、各種洗浄機具を備えた自走型洗浄機をその誘導路に沿って走行させながら洗浄するようにした車輛用洗浄装置において、前記誘導路の入口に設けた料金収納装置と、同入口に設けられその料金収納装置の発する収納信号により開かれる遮断機と、前記誘導路へ進入した車輛が洗浄位置に達したことを検出して前記洗浄機への作動信号を発する車輛定位置停止検出装置と、前記洗浄機の作動終了後に車輛が前記誘導路を脱出したことを検出して前記遮断機を閉じる信号を発する車輛脱出検出装置とからなる車輛用自動洗浄装置。」（特許請求の範囲）
　ロ）「被洗浄車輛の操縦者は搭乗のままで、誘導路入口１０′で先づ料金を料金収納装置１２に投入する。すると、料金計量装置Ｌ１はそれを計量して発信し、前述のようにスイッチ装置Ｓ１〜Ｓ３が閉成され、このためコンプレッサー３４が作動すると共に電磁弁２６が第６図で右動し、圧力空気が空気圧作動装置２５に導入され、これにより遮断杆２０は上方に回動して誘導路１０を解放する。またこれと同時に電磁弁１４も右動するので、空気圧作動装置３１のシリンダ右室に圧力空気が導入され、これによりタイヤストッパー板３０は起立する。而して、操縦者は車輛を誘導路１０、１０に沿って前進させると既に起立状態のタイヤストッパー板３０が一方の前輪のタイヤＴを受止めるに至り、これを操縦者は感知して車輛を完全に停止させる。このとき、タイヤＴにより車輛定位置停止検出装置Ｌ２が作動し、その信号によりスイッチ装置Ｓ４が閉成するので洗浄機１は所定の作動を開始する。即ち走行フレーム３は内部の各種洗浄機具を適時作動させながら前進および後退動して車輛の洗浄および乾燥を行うものであり、走行フレーム３が洗浄作業を終えて原位置に戻ると洗浄完了検出装置Ｌ３はそれを検出して発信し、スイッチ装置Ｓ３、Ｓ４を開放して電磁弁１４を左動させるので、圧力空気は空気圧作動装置３１のシリンダー左室に切換導入されてタイヤストッパー板３０は第４図鎖線示のように倒伏する。次で車輛が前進または後退して誘導路１０、１０を脱出する際、そのタイヤによって車輛脱出検出装置Ｌ４、Ｌ４のいずれかが踏圧されると脱出信号が発せられ、前記洗浄完了検出装置の信号と共にスイッチ装置Ｓ１、Ｓ２を開放動作させるのでコンプレッサー３４は停止し、また同時に、電磁弁２６は左動して空気圧作動装置２５への圧力空気を排出させるので、遮断杆２０はスプリング２４により降下する。かくて各装置はすべて原位置に復帰した。」（第２頁右下欄第１２行〜第３頁右上欄第１５行）
　(3)刊行物３
　イ）「このように、自動洗車機では、一般に、使用者は頭上の洗車装置の下に自動車を位置させ、洗車を始めるための相当な料金をコインボックスに入れる。このシステムは、たいていの場合適当なものであるとはいえ、非常に時間を消費するものであり、洗車機を使うために列をつくって待つ人々をいらだたしくさせる。それゆえに、この発明の目的は、関連する装置の働きの完了する前にお金の預け入れを許可する、お金で操作される装置の働きを制御するのに適する、改良された制御装置を提供することである。」（第３頁左欄第１４行〜第３頁左欄第２４行）
　ロ）「以下の点を強調したい。次の順番の運転者は、ウオッシャーヘッド１５０の下にある自動車Ｃについては洗浄サイクルの終了を待つことなしに、自分の希望する洗浄剤による洗浄、あるいは洗浄剤による洗浄とワックスを装置に前もって知らせるために、制御装置１０に相当するお金を投入してもよい。より明確には、コインランプは、電機子２８Ａ、スイッチ２０の端子２２Ｂを含む前述の回路を通して点灯され、次の運転者に装置にお金を投入してもよいことを知らせる。それによって、次の運転者が相当するお金を装置に入れたときに、電機子１８Ａと２２Ａは、再びそれぞれの電極１８Ｃと２２Ｃにつながる。けれども、この時点では何も起こらない。中間部１４８にある自動車の存在を検出するためのスイッチ８６が、接点８４Ａが開いている効果により無効とされるからだ。さらに、スイッチ７６とコイル２６を含む帰還装置は、現在開放されている接点６２Ｂのために、同様に働かない。結果として、あるドライバーが彼の洗浄サイクルを装置に準備する前に、先行するサイクルの完了を待つ必要がないので、複数の自動車の処理を含む時間が節約される。洗浄サイクルは、終了するまでタイマー１１２による制御の下で続く。洗浄サイクルが終了したとき、タイマー１１２はスイッチ９９を開き遮断する。スイッチ９９が開いたとき、リレー巻線６２は遮断され、リレー巻線６２への保持回路の遮断によって接触６２Ａは開き、接触６２Ｂは閉じ、スイッチ７６とステッピングコイル２６を含む帰還装置を準備する。この時点で、たとえ電機子２２Ａが接点２２Ｃとつながるようにコインステッピングスイッチ２０が準備されても、スイッチ９９が開かれリード１１４が遮断されるので、帰還装置はこの時点で働かないことに留意されたい。その上に、リレー巻線１２６は遮断されるのでノーマルクローズ接点１２６Ａを再び閉じる。その上に、リレー巻線９８は、たとえ自動車Ｃがスイッチ８６を作動させ、電機子８６Ａが端子８６Ｃとつながったとしても、遮断されたままである。これは、リレー８４の接点８４Ａが開放されていることによって、このスイッチが非作動状態であることからわかる。自動車Ｃの運転者が車を洗車機の中間地点１４８から離すとき、車輛がスイッチ８６を離れ、電機子８６Ａは再び接点８６Ｂとつながる。しかしながら、回路は接点８４Ａで切断されているので、ランプ８８はこの時点では点灯せず、「ＰＲＯＣＥＥＤ」サイン９４は消灯のままである。しかしながら、自動車Ｃが洗車機の部分１５４を横切るとき、スイッチ１０８が閉じられる。この動作は再びラッチリレー巻線８４にパルスを送る。パルスは、リード１２、リード１０６、現在閉じているスイッチ１０８，現在端子８４Ｄにつながっている電機子８４Ｂ、リレー巻線８４、リード１４とつながったリ一ド１０４からなる回路を通して送られる。この動作は、電機子８４Ｂを再び端子８４Ｃにつなげ、接点８４Ａも閉じる。このようにして、スイッチ８６は、今や動作可能状態となり、もしコインステッピングスイッチが、先行する運転者により動かされるか動作準備されるならば、ＰＲＯＣＥＥＤランプが前述の回路を通して点灯し、運転者に中間部分１４８に自動車を進めてよいことを知らせる。次の順番の運転者が中間部分１４８に自動車を進めるとき、スイッチ８６を作動させ、電機子８６Ａが端子８６Ｃとつながる。このようにして、洗車サイクルは、再び繰り返される。」（第６頁左欄第１５行〜第６頁右欄第２行）
２．対比・判断
  (1)請求項１に係る発明について
　本件請求項１に係る発明と刊行物１に記載された発明とを対比すると、
 　イ）刊行物１に記載された発明の操作パネル７、洗車条件設定部２８が、それぞれ、本件請求項１に係る発明の洗車条件を操作入力する洗車条件入力手段、洗車条件入力手段による洗車条件の入力を記憶する手段に相当する。
　ロ）刊行物１には待機中であるかを検出する手段は明記されていないが、制御部１０が洗車内容の設定や洗車動作を制御しており、待機中であるか否かの判断は当然認識しているものと認められる。
　ハ）刊行物１に記載された発明の洗車機では、会員カードの受付や洗車の設定入力が、洗車機の待機中に行われているか、待機中でないときに行われているかは明示されていないが、スタートキー入力の後洗車が実行されるということ以外に記述がみられず、仮に洗車中に会員カードの受付や洗車の設定入力を行い、スタートキーを入力すると、洗車中に次の洗車が始まってしまうことになるから、待機中に洗車の受付が行われているものと認められる。
　ニ）刊行物３には、次の自動車の運転者が前の自動車の洗車の終了を待たずに洗車の受付を行える洗車機が示されており、洗車機が待機中であることを作動検出手段が検出していないときに行われる洗車条件入力手段による洗車条件の入力を記憶する手段と、洗車機本体が待機中であることを作動検出手段が検出した信号で、記憶手段に記憶されている洗車条件の洗車を実行可能にする制御手段を備えることは、刊行物３に記載されているものと認められる。
　ホ）しかしながら、刊行物３には、作動検出手段による待機中であるかの検出が「洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車条件が記憶される第２の記憶手段（Ｄ２）に洗車条件の記憶が有るか無いかを検出する記憶有無検出手段（Ｄ３）の検出信号とにより」行われることに相当する構成の開示或いは示唆はない。
　ヘ）そして、洗車機が待機中であるかの検出を「洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車条件が記憶される第２の記憶手段（Ｄ２）に洗車条件の記憶が有るか無いかを検出する記憶有無検出手段（Ｄ３）の検出信号とにより」行うことは、刊行物２にも記載されておらず、本件特許の出願前に周知の事項と認めることはできず、また、本件請求項１に係る発明は、このような多様な信号により待機中であるかを検出することにより、的確な判断が可能なものと認められる。
　ト）したがって、本件請求項１に係る発明は、刊行物１〜３に記載されたものに基づいて当業者が容易に発明をすることができたものとすることはできない。
　(2)請求項２に係る発明について
　本件請求項２に係る発明と刊行物２に記載された発明との対比すると、
　イ）刊行物２に記載された発明の料金収納装置１２が、本件請求項２に係る発明の洗車の申し込みを操作入力する申込入力手段に相当する。
　ロ）刊行物２に記載された発明は、洗車の申し込み入力が洗車の待機中に行われているか、待機中でないときに行われているかは明示されていないが、ゲートが閉じているときに料金が投入されるとゲートが開いて自動車が進入でき、洗車終了後自動車が退出したのを検出してゲートを閉じるということ以外に記述がみられないことから、洗車機が動作しておらずゲートも閉じている状態、すなわち待機中に洗車の受付が行われているものと判断される。
　ハ）刊行物３には、次の自動車の運転者が前の自動車の洗車の終了を待たずに洗車の受付を行える洗車機が示されており、洗車機が待機中であることを作動検出手段が検出していないときに行われる申込入力手段による洗車申し込みの入力を記憶する手段と、洗車機本体が待機中であることを作動検出手段が検出した信号で、記憶手段に記憶されている洗車申し込みに係る洗車を実行可能にする制御手段を備えることは、刊行物３に記載されているものと認められる。
　ホ）しかしながら、刊行物３には、作動検出手段による待機中であるかの検出が「洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車申し込み入力が記憶される第２の記憶手段（Ｄ２）に洗車申し込み入力の記憶が有るか無いかを検出する記憶有無検出手段（Ｄ３）の検出信号とにより」行われることに相当する構成の開示或いは示唆はない。
　ヘ）そして、洗車機が待機中であるかの検出を「洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車申し込み入力が記憶される第２の記憶手段（Ｄ２）に洗車申し込み入力の記憶が有るか無いかを検出する記憶有無検出手段（Ｄ３）の検出信号とにより」行うことは、刊行物１にも記載されておらず、本件特許の出願前に周知の事項と認めることはできず、また、本件請求項２に係る発明は、このような多様な信号により待機中であるかを検出することにより、的確な判断が可能なものと認められる。
　ト）したがって、本件請求項２に係る発明は、刊行物１〜３に記載されたものに基づいて当業者が容易に発明をすることができたものとすることはできない。
【７】むすび
　以上のとおりであるから、本件請求項１及び２に係る発明についての特許は、特許異議申立人が主張する理由及び提出した証拠によっては取り消すことはできない。
　また、他に本件請求項１及び２に係る発明についての特許を取り消すべき理由を発見しない。
　よって結論のとおり決定する。
【異議決定日】
平成１３年６月２２日（２００１．６．２２）
【訂正の要旨】
１．訂正事項ａ
　特許請求の範囲の減縮を目的として、特許請求の範囲
「【請求項１】　車両を洗浄する洗浄手段（１，２，４，５）を設けた洗車機本体（６）を備えた洗車機において、
　洗車機本体（６）が実行する洗車条件を操作入力する洗車条件入力手段（３１〜３５Ｂ）と、
　洗車機本体（６）が待機中であるかを検出する作動検出手段（Ｄ５）と、
　洗車機本体（６）が待機中であることを前記作動検出手段（Ｄ５）が検出していないときに行われる前記洗車条件入力手段（３１〜３５Ｂ）による洗車条件の入力を記憶する記憶手段（Ｎ１）と、
　洗車機本体（６）が待機中であることを前記作動検出手段（Ｄ５）が検出した信号で、前記記憶手段（Ｎ１）に記憶されている洗車条件の洗車を実行可能にする制御手段（Ｎ２）とを備えたことを特徴とする洗車機。
　【請求項２】　車両を洗浄する洗浄手段（１，２，４，５）を設けた洗車機本体（６）を備えた洗車機において、
　洗車の申し込みを操作入力する申込入力手段（３０）と、
　洗車機本体（６）が待機中であるかを検出する作動検出手段（Ｄ５）と、
洗車機本体（６）が待機中であることを前記作動検出手段（Ｄ５）が検出していないときに行われる前記申込入力手段（３０）による洗車申し込みの入力を記憶する記憶手段（Ｎ１）と、
　洗車機本体（６）が待機中であることを前記作動検出手段（Ｄ５）が検出した信号で、前記記憶手段（Ｎ１）に記憶されている洗車申し込みの入力に基づく洗車の実行を可能にする制御手段（Ｎ２）とを備えたことを特徴とする洗車機。」を、
「【請求項１】　車両を洗浄する洗浄手段（１，２，４，５）を設けた洗車機本体（６）を備え
、この洗車機本体（６）を走行させて洗車を行うようにし
　洗車機本体（６）が実行する洗車条件を操作入力する洗車条件入力手段（３１〜３５Ｂ）と、
　洗車機本体（６）が待機中であるかを検出する作動検出手段（Ｄ５）と、
　洗車機本体（６）が待機中であることを前記作動検出手段（Ｄ５）が検出していないときに行われる前記洗車条件入力手段（３１〜３５Ｂ）による洗車条件の入力を記憶する
第１の
　洗車機本体（６）が待機中であることを前記作動検出手段（Ｄ５）が検出した信号で、前記
第１の
、
　前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車条件が記憶される第２の記憶手段（Ｄ２）に洗車条件の記憶が有るか無いかを検出する記憶有無検出手段（Ｄ３）の検出信号とにより、洗車機本体（６）が待機中であるかを検出する
　【請求項２】　車両を洗浄する洗浄手段（１，２，４，５）を設けた洗車機本体（６）を備え
、この洗車機本体（６）を走行させて洗車を行うようにし
　洗車の申し込みを操作入力する申込入力手段（３０）と、
　洗車機本体（６）が待機中であるかを検出する作動検出手段（Ｄ５）と、
洗車機本体（６）が待機中であることを前記作動検出手段（Ｄ５）が検出していないときに行われる前記申込入力手段（３０）による洗車申し込みの入力を記憶する
第１の
　洗車機本体（６）が待機中であることを前記作動検出手段（Ｄ５）が検出した信号で、前記
第１の
、
　前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車申し込み入力が記憶される第２の記憶手段（Ｄ２）に洗車申し込み入力の記憶が有るか無いかを検出する記憶有無検出手段（Ｄ３）の検出信号とにより、洗車機本体（６）が待機中であるかを検出する
と訂正する。
２．訂正事項ｂ
　明りょうでない記載の釈明を目的として、明細書の段落【０００５】（本件特許公報の第３欄第２７行〜第３５行）の「備えた洗車機…………………とを備えた」を、
　「備え
、この洗車機本体を走行させて洗車を行うようにし
第１の
第１の
、
　前記作動検出手段は、洗車機制御手段の作動信号と、車両が車両洗浄位置に停止すると作動する踏込みスイッチの検出信号と、洗車機本体が待機位置に達したことを検出する待機位置検出手段の検出信号と、洗車機制御手段が開始する洗車の洗車条件が記憶される第２の記憶手段に洗車条件の記憶が有るか無いかを検出する記憶有無検出手段の検出信号　とにより、洗車機本体が待機中であるかを検出する
とする。
３．訂正事項ｃ
　明りょうでない記載の釈明を目的として、明細書の段落【０００６】（本件特許公報の第３欄第３８行〜第４７行）の「備えた洗車機…………………とを備えた」を、
　「備え
、この洗車機本体を走行させて洗車を行うようにし
第１の
第１の
、
　前記作動検出手段は、洗車機制御手段の作動信号と、車両が車両洗浄位置に停止すると作動する踏み込みスイッチの検出信号と、洗車機本体が待機位置に達したことを検出する待機位置検出手段の検出信号と、洗車機制御手段が開始する洗車の洗車申し込み入力が記憶される第２の記憶手段に洗車申し込み入力の記憶が有るか無いかを検出する記憶有無検出手段の検出信号とにより、洗車機本体が待機中であるかを検出する
４．訂正事項ｄ
　明りょうでない記載の釈明を目的として、明細書の【符号の説明】の記載（本件特許公報第８欄第３４行〜第４４行）を、
「【符号の説明】
１　　　　　　トップブラシ（洗浄手段）
２　　　　　　サイドブラシ（洗浄手段）
４　　　　　　トップノズル（洗浄手段）
５　　　　　　サイドノズル（洗浄手段）
６　　　　　　洗車機本体
２０
踏み込みスイッチ
３０　　　　　カードリーダ（申込入力手段）
３１〜３５Ｂ　キー（洗車条件入力手段）
Ｄ１
洗車機制御手段
Ｄ２
記憶手段（第２の記憶手段）
Ｄ３
記憶有無検出手段
Ｄ４
待機位置検出手段
Ｄ５　　　　　作動検出手段
Ｎ１　　　　　記憶手段
（第１の記憶手段）
Ｎ２　　　　　記憶有無検出手段（制御手段）」と訂正する。
（５４）【発明の名称】
洗車機
（５７）【特許請求の範囲】
　【請求項１】　車両を洗浄する洗浄手段（１，２，４，５）を設けた洗車機本体（６）を備え
、この洗車機本体（６）を走行させて洗車を行うようにし
　洗車機本体（６）が実行する洗車条件を操作入力する洗車条件入力手段（３１〜３５Ｂ）と、
　洗車機本体（６）が待機中であるかを検出する作動検出手段（Ｄ５）と、
　洗車機本体（６）が待機中であることを前記作動検出手段（Ｄ５）が検出していないときに行われる前記洗車条件入力手段（３１〜３５Ｂ）による洗車条件の入力を記憶する
第１の
　洗車機本体（６）が待機中であることを前記作動検出手段（Ｄ５）が検出した信号で、前記
第１の
、
　
前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６Ｂ）に達したことを検出する待機位置検出手段（Ｄ４）の検出信号と、洗車機制御手段（Ｄ１）が開始する洗車の洗車条件が記憶される第２の記憶手段（Ｄ２）に洗車条件の記憶が有るか無いかを検出する記憶有無検出手段（Ｄ３）の検出信号とにより、洗車機本体（６）が待機中であるかを検出する
　【請求項２】　車両を洗浄する洗浄手段（１，２，４，５）を設けた洗車機本体（６）を備え
、この洗車機本体（６）を走行させて洗車を行うようにし
　洗車の申し込みを操作入力する申込入力手段（３０）と、
　洗車機本体（６）が待機中であるかを検出する作動検出手段（Ｄ５）と、
　洗車機本体（６）が待機中であることを前記作動検出手段（Ｄ５）が検出していないときに行われる前記申込入力手段（３０）による洗車申し込みの入力を記憶する
第１の
　洗車機本体（６）が待機中であることを前記作動検出手段（Ｄ５）が検出した信号で、前記
第１の
、
　
前記作動検出手段（Ｄ５）は、洗車機制御手段（Ｄ１）の作動信号と、車両（Ｖ）が車両洗浄位置（Ｖ２）に停止すると作動する踏込みスイッチ（２０）の検出信号と、洗車機本体（６）が待機位置（６Ａ，６３）に達したことを検出する待機位置検出手段（Ｄ４）の検出信号と、洗車機制御手段（Ｄ１）が開始する洗車の洗車申し込み入力が記憶される第２の記憶手段（Ｄ２）に洗車申し込み入力の記憶が有るか無いかを検出する記憶有無検出手段（Ｄ３）の検出信号とにより、洗車機本体（６）が待機中であるかを検出する
【発明の詳細な説明】
　【０００１】
　【産業上の利用分野】
　本発明は、車両を洗浄する洗浄手段を設けた洗車機本体を備えた洗車機に関する。
　【０００２】
　【従来の技術】
　従来、車両を洗浄する洗浄手段を設けた洗車機本体を備えた洗車機は、コインの受付け、カードの受付け、洗車コースの指定を行うための操作入力、スポイラー、キャリアー、ドアミラー等の障害物を自動的に回避させるための操作入力を、洗車機本体が待機中のときに行なうようにしていた。
　【０００３】
　【発明が解決しようとする課題】
　従って従来は、複数台の車両の洗浄を連続して行う場合に、先行車両の洗浄が完全に終了して洗車機本体が待機中になった後に後続車両のための前記操作入力を行う必要があり、これが単位時間当りの処理台数の増加を困難にしていた。
　【０００４】
　本発明は前述の事情に鑑みてなされたもので、連続して複数台の車両の洗浄を行う場合のトータルの洗車時間を短縮し、単位時間当りの処理台数を増加させ得る洗車機を提供することを目的とする。
　【０００５】
　【課題を解決するための手段】
　上記目的を達成するために、請求項１に記載された発明は、車両を洗浄する洗浄手段を設けた洗車機本体を備え
、この洗車機本体を走行させて洗車を行うようにし
第１の
第１の
、前記作動検出手段は、洗車機制御手段の作動信号と、車両が車両洗浄位置に停止すると作動する踏込みスイッチの検出信号と、洗車機本体が待機位置に達したことを検出する待機位置検出手段の検出信号と、洗車機制御手段が開始する洗車の洗車条件が記憶される第２の記憶手段に洗車条件の記憶が有るか無いかを検出する記憶有無検出手段の検出信号とにより、洗車機本体が待機中であるかを検出する
　【０００６】
　また、請求項２に記載された発明は、車両を洗浄する洗浄手段を設けた洗車機本体を備え
、この洗車機本体を走行させて洗車を行うようにし
第１の
第１の
、前記作動検出手段は、洗車機制御手段の作動信号と、車両が車両洗浄位置に停止すると作動する踏込みスイッチの検出信号と、洗車機本体が待機位置に達したことを検出する待機位置検出手段の検出信号と、洗車機制御手段が開始する洗車の洗車申し込み入力が記憶される第２の記憶手段に洗車申し込み入力の記憶か有るか無いかを検出する記憶有無検出手段の検出信号とにより、洗車機本体が待機中であるかを検出する
　【０００７】
　【実施例】
　以下、図面に基づいて本発明の実施例を説明する。
　【０００８】
　図１〜図６は請求項１に記載された発明に対応する実施例を示すもので、図１は洗車機の全体平面図、図２は洗車機の全体側面図、図３は図１の３−３線矢視図、図４は操作パネルの正面図、図５は作用を説明するフローチャート、図６は制御系のブロック図である。
　【０００９】
　図１〜図３に示すように、車両の上面を洗浄するトップブラシ１と、車両の側面を洗浄する左右一対のサイドブラシ２，２と、車両の上面を乾燥するトップノズル４と、車両の側面を乾燥する左右一対のサイドノズル５，５と、図示されていない洗浄水噴射装置及びワックス水噴射装置とよりなる洗浄手段が設けられた門型の洗車機本体６は、駆動輪７，７と遊輪８，８とにより走行レール９，９上を往復走行する。
　【００１０】
　前記駆動輪７，７はそれぞれ駆動モータ１０，１０に接続されており、洗車機本体６を往復走行させるべく駆動される。一方の駆動モータ１０の出力軸には、その回転数に応じた数のパルスを出力するロータリエンコーダ１１が設けられている。
　【００１１】
　一方の走行レール９の一端近傍にはカム１２が設けられており、洗車機本体６に設けた位置検出スイッチ１３が前記カム１２に当接することにより、洗車機本体６が鎖線で示すスタート位置６Ｂにあることが検出される。また前記走行レール９の他端近傍にはカム２９が設けられており、このカム２９に前記位置検出スイッチ１３が当接することにより、洗車機本体６が鎖線で示す折り返し位置６Ｃにあることが検出される。
　【００１２】
　走行レール９，９の間には、車両を左右方向に位置決めすべく左右の前輪を案内する案内パイプ１８、１８と、車両を前後方向に位置決めすべく右前輪の停止位置を規制するストッパ１９とが設けられている。車両が前記案内パイプ１８，１８及びストッパ１９によって位置決めされ、洗浄を行うための車両洗浄位置Ｖ２に停止すると、前記ストッパ１９の内側に設けられた踏込みスイッチ２０が作動する。
　【００１３】
　洗車機の入口側には遮断機１５と受付装置１６とが設けられており、また出口側には案内表示器１７が設けられている。
　【００１４】
　受付装置１６には、後述する操作パネル２１と、記憶手段Ｎ１及び記憶有無検出手段Ｎ２を備えた操作入力制御装置２２（図６参照）と、操作パネル２１の操作方法、注意事項及び車両の停止前進を案内するスピーカー２３とが設けられている。
　【００１５】
　図４に示すように、操作パネル２１は、カードの有効無効を判別するカードリーダ３０と、洗車コースを操作入力する普通洗車キー３１及びワックス洗車キー３２と、スポイラー、キャリアー、ドアミラーの回避動作を行わせるＹＥＳキー３３Ａ，３４Ａ，３５Ａ及び前記回避動作を行わせないＮＯキー３３Ｂ，３４Ｂ，３５Ｂと、前記各キー３１〜３５Ｂのキーの入力を取り消すときに押すクリアキー３６と、前記各キー３１〜３５Ｂの入力に間違いがない時に押すスタートキー３７とが設けられている。前記各キー３１〜３７はランプを内装しており、押圧されると点灯するようになっている。
　【００１６】
　前記ＹＥＳキー３３Ａを押したときは、洗車中にスポイラーを回避する動作が行なわれ、前記ＹＥＳキー３４Ａを押したときは、洗車中にキャリアーを回避する動作が行なわれ、前記ＹＥＳキー３５Ａを押したときは、洗車中にドアミラーを回避する動作がそれぞれ自動的に行なわれる。
　【００１７】
　遮断機１５は門型のアーチ２４と昇降モータ２５により上限位置及び下限位置間を移動する竿２６とからなり、アーチ２４には、車両待機位置Ｖ１への来車を検出する来車検出手段２７としての投光器２７Ａと受光器２７Ｂとが設けられている。
　【００１８】
　図６に示すように、洗車機本体６に設けられた制御装置１４には、洗車機制御手段Ｄ１と、記憶手段Ｄ２と、記憶有無検出手段Ｄ３と、待機位置検出手段Ｄ４と、作動検出手段Ｄ５とが設けられている。
　【００１９】
　待機位置検出手段Ｄ４は、洗車機本体６がスタート位置６Ｂから往行を開始してスタート位置検出スイッチ１３がカム１２から離れたときから、ロータリエンコーダ１１が１パルスを出力する毎に、洗車機本体６が往行しているときは＋１し、復行しているときは−１して洗車機本体６の走行位置を演算し、その走行位置から洗車機本体６が図１に示す待機位置６Ａに達したことを検出する。
　【００２０】
　洗車機制御手段Ｄ１は、下記▲１▼及び▲２▼の洗車コースの作動を洗車機本体６に行わせる。
▲１▼　普通洗車コース
　スタート位置６Ｂから折り返し位置６Ｃまで、洗浄水を車両に噴射してトップブラシ１とサイドブラシ２，２とで車両をブラッシングする往行洗浄を行い、引き続く折り返し位置６Ｃからスタート位置６Ｂまで、トップノズル４とサイドノズル５，５とで車両に空気を噴射する復行乾燥を行い、引き続く再往行時にスタート位置６Ｂから待機位置６Ａまで再往行乾燥を行う。
▲２▼　ワックス洗車コース
　スタート位置６Ｂから折り返し位置６Ｃまで、洗浄水を車両に噴射してトップブラシ１とサイドブラシ２，２とで車両をブラッシングした後にワックス水を車両に噴射する往行洗浄ワックス塗布を行い、引き続く折り返し位置６Ｃからスタート位置６Ｂまで、トップノズル４とサイドノズル５，５とで車両に空気を噴射する復行乾燥を行い、引き続く再往行時にスタート位置６Ｂから待機位置６Ａまで再往行乾燥を行う。
　【００２１】
　尚、符号２８は、車両が車両洗浄位置Ｖ２に停車したときに注意事項を案内したり、洗車が終ったときに前進退出を案内するスピーカー、符号３８は、後部に車両が停車しているとき接触検知して復行を停止させる安全スイッチ、符号３９は前記洗車機に隣接して設けられた塀である。
　【００２２】
　次に、前述の構成を備えた本発明の実施例の作用を、図５のフローチャート及び図６のブロック図を参照して説明する。
　【００２３】
　洗車機本体６が待機位置６Ａに停止していて、車両が車両洗浄位置Ｖ２に入っていないで、来車検出手段２７が車両を検出していないで、記憶手段Ｎ１，Ｄ２に記憶が無く、遮断機１５の竿２６が図２に示す下限位置にある状態で始めるとする。
　【００２４】
　洗車機制御手段Ｄ１の作動信号と、踏込みスイッチ２０の検出信号と、待機位置検出手段Ｄ４の検出信号と、記憶有無検出手段Ｄ３の検出信号とにより、洗車機が待機位置６Ａにおいて待機中であることを作動検出手段Ｄ５が検出すると（ステップＳ１）、制御装置１４は操作入力制御装置２２へ待機中信号を出力する（ステップＳ２）。操作入力制御装置２２が制御装置１４からの待機中信号を検出し（ステップＳ３）、且つ記憶手段Ｎ１に記憶が無いことを検出すると（ステップＳ４）、操作入力待ちの状態となる（ステップＳ５）。
　【００２５】
　上記操作入力待ちの状態で、車両が図１の車両待機位置Ｖ１に入ったことを来車検出手段２７が検出すると、入力制御装置２２はカードの受付けを可能にする。運転者が乗車したままカードをカードリーダ３０に挿入し、カードが有効であると洗車コースを選択する普通洗車キー３１及びワックス洗車キー３２のランプが点滅する。普通洗車キー３１及びワックス洗車キー３２のいずれか一方のキーを押すと、そのランプが，点灯して他のランプが消灯し、次のスポイラーのＹＥＳキー３３Ａ及びＮＯキー３３Ｂのランプが点滅する、スポイラーのＹＥＳキー３３Ａ及びＮＯキー３３Ｂのいずれか一方のキーを押すと、そのランプが点灯して他のランプが消灯する。以下同様にしてキャリアー及びドアミラーに対応するＹＥＳキー３４Ａ，３５Ａ又はＮＯキー３４Ｂ，３５Ｂを順次押して全ての入力が完了すると、クリアキー３６及びスタートキー３７のランプが点滅する。
　【００２６】
　次にスタートキー３７を押すと、スタートキー３７のランプが点灯してクリアキー３６のランプが消灯し、カードが排出される。運転者がカードを抜き取ったのをカードリーダ３０が検出すると（ステップＳ５）、洗車コース、スポイラー、キャリアー、ドアミラーの各操作入力による洗車条件信号が、操作入力制御装置２２から制御装置１４へ出力される（ステップＳ６）。制御装置１４では前記洗車条件を記憶手段Ｄ２に記憶し、これを記憶有無検出手段Ｄ３が検出すると、作動検出手段Ｄ５はそれまで出力していた待機中信号の出力を停止すると同時に、洗車機本体６を待機位置６Ａからスタート位置６Ｂへ復行させ、遮断機１５の竿２６を上限へ移動させる（ステップＳ７）。
　【００２７】
　また、ステップＳ６で操作入力制御装置２２が洗車条件信号を出力し終えると、操作入力制御装置２２は各キー３１〜３７のランプを消灯するとともに、来車検出手段２７の検出によりカードリーダ３０を受付可能な状態とし、後続車両の操作入力待ちの状態となる。この状態で、前記ステップＳ５における先行車両の操作入力と同様にして後続車両の操作入力があると（ステップＳ８）、この後続車両の操作入力による洗車条件を記憶手段Ｎ１に記憶する（ステップＳ９）。
　【００２８】
　さて、洗車機本体６がスタート位置６Ｂに達して停止し、車両待機位置Ｖ１にあった先行車両が前進して車両洗浄位置Ｖ２に停車したのを踏込みスイッチ２０が検出し、その状態が数秒間（約３秒）継続すると、車両が車両洗浄位置Ｖ２に確実に停車したと判断し（ステップＳ１０）、洗車機制御手段Ｄ１は記憶手段Ｄ２に記憶されている洗車条件の洗車を開始するとともに、竿２６を下限にする（ステップＳ１１）。このときステップ３で後続車両の操作入力がなければ（ステップＳ１２）、操作入力待ちをし、操作入力が行なわれると記憶手段Ｎ１に洗車条件を記憶する（ステップＳ１３，Ｓ１４）。
　【００２９】
　洗車機本体６が再往行して待機位置６Ａに達すると、その位置で洗車機本体６が停止して洗車を終了する。洗車が終了すると、スピーカー２８及び案内表示器１７の案内により運転者は車両を前進させて退出する。これを踏込みスイッチ２０が検出して数秒間（約３〜５秒）が経過すると、先行車両が退出したと作動検出手段Ｄ５が判断し（ステップＳ１）、記憶手段Ｄ２の記憶を消して待機中信号を出力する（ステップＳ２）。操作入力制御装置２２に待機中信号が入力されると、記憶有無検出手段Ｎ２が記憶手段Ｎ１に後続車両の洗車条件の記憶があるか検出し（ステップＳ４）、有るときはその洗車条件を制御装置１４へ出力するとともに記憶手段Ｎ１の記憶を消し、来車検出手段２７の検出によりカードリーダ３０の受付を可能にする（ステップＳ１５）。以下前記ステップＳ７→ステップＳ８→ステップＳ９→ステップＳ１０→ステップＳ１１によって後続車両の洗車を開始する。
　【００３０】
　上述のように、先行車両が車両洗浄位置Ｖ２に入って洗車が開始されると、その洗車が終了するのを待たず、後続車両は直ちに車両待機位置Ｖ１に入って洗車条件の入力を行うことが可能となる。従って、先行車両の洗浄と後続車両の洗車条件入力とを同時に並行して行うことが可能になり、複数台の車両を連続して洗浄する場合に大幅な時間短縮が達成される。
　【００３１】
　請求項２に対応する発明の実施例として、操作パネル２１にカードリーダ３０やコイン装置のみを設け、洗車条件は別個に設けた車種判別手段等によって決定することが可能である。この場合、カードリーダ３０やコイン装置が、洗車の申し込みを操作入力する申込入力手段を構成する。
　【００３２】
　而して、この実施例によっても、先行車両の洗浄と後続車両の申込入力とを同時に並行して行うことにより、複数台の車両を連続して洗浄する場合の時間短縮が可能となる。
　【００３３】
　以上、本発明の実施例を詳述したが、本発明は前記実施例に限定されるものではなく、種々の設計変更を行うことが可能である。
　【００３４】
　例えば、操作パネル２１を制御装置１４の前面に取り付けても良く、操作入力制御装置２２を制御装置１４内に設けても良い。また、待機位置６Ａをスタート位置６Ｂに一致させても良い。更に、複数台の車両の洗車条件を記憶手段Ｎ１に記憶できるようにし、操作入力順に１台分ずつ出力して洗車を行なうようにしても良い。
　【００３５】
　【発明の効果】
　以上のように本発明によれば、先行車両の洗車終了を待たず、その洗浄中に後続車両の洗車条件入力や洗車申込入力を行うことができるので、複数台の車両を連続して洗浄する場合に、トータルの洗車時間を短縮して単位時間当りの処理台数を増加させることが可能となる。
【図面の簡単な説明】
　【図１】
　洗車機の全体平面図
　【図２】
　洗車機の全体側面図
　【図３】
　図１の３−３線矢視図
　【図４】
　図４は操作パネルの正面図
　【図５】
　作用を説明するフローチャート
　【図６】
　制御系のブロック図
　【符号の説明】
１　　　　トップブラシ（洗浄手段）
２　　　　サイドブラシ（洗浄手段）
４　　　　トップノズル（洗浄手段）
５　　　　サイドノズル（洗浄手段）
６　　　　洗車機本体
２０
踏み込みスイッチ
３０　　　カードリーダ（申込入力手段）
３１〜３５Ｂ　　　　キー（洗車条件入力手段）
Ｄ１
洗車機制御手段
Ｄ２
記憶手段（第２の記憶手段）
Ｄ３
記憶有無検出手段
Ｄ４
待機位置検出手段
Ｄ５　　　作動検出手段
Ｎ１　　　記憶手段
（第１の記憶手段）
Ｎ２　　　記憶有無検出手段（制御手段）